【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
回転開始部が操作されることを契機に、図柄が付された複数の回胴を回転させ、前記回胴が回転している状態で回転停止部が操作されることを契機に、前記回胴の回転を停止させる図柄変動遊技を行う回胴式遊技機において、
当選役を決定する役抽選を行う役抽選手段と、
前記回胴を用いた回胴演出を実行する回胴演出実行手段と、を備え、
前記回胴演出実行手段は、前記回胴が回転している状態で前記回転停止部が操作されると、所定の停止テーブルに基づいて所定の図柄組合せを停止表示可能とし、
前記回胴演出実行手段により前記複数の回胴の回転が停止された後であって、所定の条件を満たしたときに前記複数の回胴を再度回転させ、前記回胴が回転している状態で前記回転停止部が操作されると、前記役抽選により決定された当選役に応じた停止テーブルに基づいて前記当選役に対応した図柄組合せを停止表示可能とする
ことを特徴とする回胴式遊技機。
【請求項２】
請求項１に記載の回胴式遊技機において、
前記回胴演出実行手段は、前記回胴が回転している状態で前記回転停止部が操作されることを契機に、所定の停止テーブルに基づいて前記回胴の回転を停止させることにより前記当選役に対応しない図柄組合せを停止表示可能とする
ことを特徴とする回胴式遊技機。
【手続補正２】
【補正対象書類名】明細書
【補正対象項目名】０００８
【補正方法】変更
【補正の内容】
【０００８】
上述した課題の少なくとも一部を解決するために、本発明の回胴式遊技機は次の構成を採用した。すなわち、
回転開始部が操作されることを契機に、図柄が付された複数の回胴を回転させ、前記回胴が回転している状態で回転停止部が操作されることを契機に、前記回胴の回転を停止させる図柄変動遊技を行う回胴式遊技機において、
当選役を決定する役抽選を行う役抽選手段と、
前記回胴を用いた回胴演出を実行する回胴演出実行手段と、を備え、
前記回胴演出実行手段は、前記回胴が回転している状態で前記回転停止部が操作されると、所定の停止テーブルに基づいて所定の図柄組合せを停止表示可能とし、
前記回胴演出実行手段により前記複数の回胴の回転が停止された後であって、所定の条件を満たしたときに前記複数の回胴を再度回転させ、前記回胴が回転している状態で前記回転停止部が操作されると、前記役抽選により決定された当選役に応じた停止テーブルに基づいて前記当選役に対応した図柄組合せを停止表示可能とすることを特徴とする。
また、本発明の回胴式遊技機において、
前記回胴演出実行手段は、前記回胴が回転している状態で前記回転停止部が操作されることを契機に、所定の停止テーブルに基づいて前記回胴の回転を停止させることにより前記当選役に対応しない図柄組合せを停止表示可能とする
ことを特徴とする。
【手続補正３】
【補正対象書類名】明細書
【補正対象項目名】０００９
【補正方法】変更
【補正の内容】
【０００９】
本明細書において参考的に開示する参考発明１では、
回転開始部が操作されることに基づいて、複数の回胴を所定の態様で回転させ、前記所定の態様で前記回胴が回転している状態で回転停止部が操作されることに基づいて、前記回胴を停止させ、前記複数の回胴の回転停止結果に応じて所定の遊技利益を付与可能とされた回胴式遊技機において、
遊技の進行を制御する主制御手段と、
前記主制御手段から遊技情報を受信し、演出手段で演出を実行する演出制御手段と、
前記回胴を前記所定の態様と異なる態様で回転させる回胴演出を実行する回胴演出実行手段と、
前記回胴演出の終了後に前記所定の態様で前記回胴を回転させる回転実行手段と、を備え、
前記演出制御手段は、前記主制御手段から前記回胴演出の終了後に前記所定の態様で前記回胴を回転させることを示す遊技情報を受信したことに基づき、前記演出手段で特殊演出を実行する
ことを特徴とする。
このような参考発明１によれば、通常態様とは異なる特殊態様で回胴が回転であることを遊技者に強く印象付けることができる。
【手続補正４】
【補正対象書類名】明細書
【補正対象項目名】００１０
【補正方法】変更
【補正の内容】
【００１０】
また、本明細書において参考的に開示する参考発明１の回胴式遊技機においては、
前記回胴を前記所定の態様と異なる態様で回転させる前記回胴演出を実行する実行回数を決定する実行回数決定手段と、
前記回胴演出実行手段は、前記実行回数決定手段が決定した実行回数に達するまで、前記回胴演出を実行する
ことを特徴とする。
【手続補正５】
【補正対象書類名】明細書
【補正対象項目名】００１１
【補正方法】変更
【補正の内容】
【００１１】
このような参考発明１によれば、回胴を特殊態様で回転させる回転数を増やすことで、特殊態様での回転を遊技者に認識させる演出を行う際、その機会を増やすことができる。従って、例えば特殊態様の回転の回数によって実行する演出内容（回胴演出）を異ならせることとすれば、特殊態様の回転を利用してより凝った演出を行うことができる。その結果、現在の遊技をより効果的に盛り上げることが可能となる。
【手続補正６】
【補正対象書類名】明細書
【補正対象項目名】００１２
【補正方法】変更
【補正の内容】
【００１２】
また、本明細書において参考的に開示する参考発明２では、回転開始部が操作されることに基づいて、複数の回胴を通常態様で回転させ、前記通常態様で前記回胴が回転している状態で回転停止部が操作されることに基づいて、前記回胴を停止させ、前記複数の回胴の回転停止結果に応じて所定の遊技利益を付与可能とされた回胴式遊技機において、
特定の遊技利益を付与可能とする遊技条件が成立すると、前記回転開始部が操作されてから前記通常態様で前記回胴が回転するまでに、前記複数の回胴を前記通常態様と識別困難な特殊態様で回転させる回胴演出を実行する回胴演出実行手段を備え、
前記回胴演出にて前記特殊態様で前記回胴が回転している状態で前記回転停止部が操作されると、前記特定の遊技利益の付与に対応しない回転停止結果を導出する停止位置で前記回胴を停止させ、
前記回胴演出の終了後に前記通常態様で前記回胴が回転している状態で前記回転停止部が操作されると、前記特定の遊技利益の付与に対応する回転停止結果を導出する停止位置で前記回胴を停止させるものであって、
前記回胴演出の終了後には、前記回転開始部と異なる所定の操作部が操作されることに基づいて前記通常態様での前記回胴の回転が開始される
ことを特徴としてもよい。
また、回転開始部とは異なる操作部が操作されると回胴の回転が開始されるので、遊技者の意表を突くとともに、遊技者の注意を遊技に引き付けることができる。その結果、何か特別なことが発生するのではないかという期待感を遊技者に与えることができ、遊技者の遊技興趣を大きく盛り上げることが可能となる。
【手続補正７】
【補正対象書類名】明細書
【補正対象項目名】００１４
【補正方法】変更
【補正の内容】
【００１４】
また、上述した本明細書において参考的に開示する参考発明２の回胴式遊技機においては、
所定の投入口に投入された遊技媒体の数を記憶する記憶手段と、
前記記憶手段に記憶された遊技媒体を用いて１回の遊技に対する賭数を設定するために操作される賭数操作部とを備え、
前記回胴演出の終了後には、前記賭数操作部が操作されることに基づいて前記通常態様での前記回胴の回転が開始されるものであって、
前記回胴演出の終了後に、前記通常態様での前記回胴の回転を開始するために前記賭数操作部が操作される場合には、前記記憶手段に記憶された遊技媒体の数が減少しない
ことを特徴としてもよい。